(57)【要約】【課題】  従来はＴＶ放送番組の視聴中に、データ情報番組の視聴に切り換えると、それまで見ていたＴＶ放送番組のその後の内容を見ることができない。【解決手段】  ＴＶ放送番組とデータ放送等の情報番組とを受信可能な受信装置は、情報番組の視聴選択を行うと、その選択時点の直前でＴＶ番組視聴中であったかどうか判定し（Ｓ１０１，Ｓ１０２）、ＴＶ番組視聴中であったときには、視聴選択した情報番組の記述言語情報を解析し、ＴＶ画像挿入好適領域があるかどうかチェックする（Ｓ１０３）。ＴＶ画像挿入好適領域がある場合は、記述言語情報に基づいて情報番組を表示すると共に、上記のＴＶ画像挿入好適領域にそれまで視聴していたＴＶ画像を挿入して表示する（Ｓ１０４）。これにより、情報番組とＴＶ放送番組とを同時に視聴できる。【選択図】            図５
2006121451.tif 000002
【特許請求の範囲】
【請求項１】
動画を含むストリームの形態で送られてくる第一のコンテンツ情報と、表示を制御する記述言語情報ファイル及び表示する画像等の要素ファイルの組の形態で送られてくる第二のコンテンツ情報と、を受信して表示部に表示可能な受信装置であって、
前記要素ファイルの前記表示部への表示を指示する操作入力の検出手段と、
前記検出手段により前記操作入力が検出された時点の直前に、前記第一のコンテンツ情報が前記表示部で表示されていたか否か判定する判定手段と、
前記判定手段により前記第一のコンテンツ情報が前記表示部で表示されていたとの判定結果が得られたときには、前記第二のコンテンツ情報のうち、前記記述言語情報ファイルにより指定された画像表示領域に、それまで表示していた前記第一のコンテンツ情報の動画を埋め込む表示を選択し、前記判定手段により前記第一のコンテンツ情報が前記表示部で表示されていないとの判定結果が得られたときには、前記第二のコンテンツ情報の中の要素ファイルとして送られてきた画像の中で前記記述言語情報により指定された画像の表示を選択する表示選択手段と
を有することを特徴とする受信装置。
【発明の詳細な説明】
【技術分野】
【０００１】
本発明は受信装置に係り、特に動画を中心としたテレビジョン放送番組に加えて、データによる情報番組も見ることができるテレビジョン受像機等の受信装置に関する。
【背景技術】
【０００２】
近年、テレビジョン受像機の高度化は著しく、動画像のテレビジョン放送番組を視聴するのみでなく、データ放送によるデータ情報番組をも視聴できるものが、提案あるいは実用化されている（例えば、特許文献１〜３参照）。例えば、特許文献１には、データ放送受信回路がＴＶ放送信号の中のハイパーテキストデータ信号を含む制御データ信号を抽出して、ＣＰＵが制御データ信号を処理し、ＧＵＩ（Graphic User Interface）を用いたＴＶ番組案内の画像データ信号を生成して、これをＴＶ映像信号に重畳して表示させる受信装置が開示されている。
【０００３】
また、特許文献２には、アニメーションにすることができるテキスト又はスプライトなどのグラフィックオブジェクトを、ビデオ映像中のオブジェクトの適切な時間及び画面位置に表示する受信装置が開示されている。更に、特許文献３には、テレビジョン放送に多重化されたコンテンツを表示するときに、他のコンテンツを自動的に取り出して表示する受信装置が開示されている。
【０００４】
また、常時接続回線などに接続することでインターネットを利用して各種の情報をＴＶ画面に表示できる、「Ｔナビ」サービスの利用可能な受信装置も実用化されている（例えば、非特許文献１参照）。
【０００５】
【特許文献１】特開平０９−１８２０３８号公報
【特許文献２】特開２０００−１６５８２９号公報
【特許文献３】特開平１０−０３２８０２号公報
【非特許文献１】「Ｔナビ」ホームページ、[online]、［平成１５年９月検索］、インターネット＜ＵＲＬ：http://tnavi.net/＞
【発明の開示】
【発明が解決しようとする課題】
【０００６】
この様な受信装置による視聴を考えると、例えばユーザがスポーツ中継などのテレビジョン放送番組をリアルタイムで見ていて、天気予報や交通情報などのデータで送られてくる情報が気になったとしたとき、データ情報番組の視聴に切り換えると、それまで見ていたテレビジョン放送番組の内容を見ることができないので、試合の経過がわからず、得点シーンなどを見逃す可能性があるという問題点がある。
【０００７】
また、受信装置が居間に置かれたテレビジョン受像機であり、家族などの複数の人が同時にテレビジョン放送番組を視聴している場合、一人が天気予報などのデータ情報番組を見る操作を行うと、他の人はその間それまで見ていたテレビジョン放送番組が見たくても見られなくなるという問題がある。
【０００８】
本発明は以上の点に鑑みなされたもので、テレビジョン放送番組の視聴に影響を与えることなく、データ情報番組も同時に視聴し得る受信装置を提供することを目的とする。
【課題を解決するための手段】
【０００９】
上記の目的を達成するため、本発明の受信装置は、動画を含むストリームの形態で送られてくる第一のコンテンツ情報と、表示を制御する記述言語情報ファイル及び表示する画像等の要素ファイルの組の形態で送られてくる第二のコンテンツ情報と、を受信して表示部に表示可能な受信装置であって、要素ファイルの表示部への表示を指示する操作入力の検出手段と、検出手段により操作入力が検出された時点の直前に、第一のコンテンツ情報が表示部で表示されていたか否か判定する判定手段と、判定手段により第一のコンテンツ情報が表示部で表示されていたとの判定結果が得られたときには、第二のコンテンツ情報のうち、記述言語情報ファイルにより指定された画像表示領域に、それまで表示していた第一のコンテンツ情報の動画を埋め込む表示を選択し、判定手段により第一のコンテンツ情報が表示部で表示されていないとの判定結果が得られたときには、第二のコンテンツ情報の中の要素ファイルとして送られてきた画像の中で記述言語情報により指定された画像の表示を選択する表示選択手段とを有することを特徴とする。
【００１０】
この発明では、表示を制御する記述言語情報ファイル及び表示する画像等の要素ファイルの組の形態で送られてくる第二のコンテンツ情報の表示部への表示を指示する操作入力が検出された時点の直前に、動画を含むストリームの形態で送られてくる第一のコンテンツ情報が表示部で表示されていたか否か判定し、その判定結果に応じて、第二のコンテンツ情報のうち、記述言語情報ファイルにより指定された画像表示領域に、第一のコンテンツ情報の動画を埋め込んで表示するか、第二のコンテンツ情報の中の要素ファイルとして送られてきた画像の中で記述言語情報により指定された画像を表示するかを選択するようにしたため、上記の操作入力直前に第一のコンテンツ情報を視聴していた時には、上記の第二のコンテンツ情報の表示指示により、その第二のコンテンツ情報の画像の中に、上記第一のコンテンツ情報を埋め込んで表示することができる。
【発明の効果】
【００１１】
本発明によれば、表示を制御する記述言語情報ファイル及び表示する画像等の要素ファイルの組の形態で送られてくる第二のコンテンツ情報の中の要素ファイルを表示する操作入力直前に、動画を含むストリームの形態の第一のコンテンツ情報を視聴していた時には、上記の第二のコンテンツ情報の表示指示により、その第二のコンテンツ情報の画像の中に、上記第一のコンテンツ情報を埋め込んで表示することができるため、第一のコンテンツ情報として動画を中心としたテレビジョン放送番組を視聴していた時に、第二のコンテンツ情報としてデータによる情報番組の視聴に切り替えたときには、テレビジョン放送番組の画像と情報番組とを同時に見ることができる。
【発明を実施するための最良の形態】
【００１２】
次に、発明を実施するための最良の形態について説明する。図１は本発明になる受信装置の一実施の形態のブロック図を示す。同図において、黒い太線はディジタル映像信号の流れを表し、白抜きの太線はマイクロプロセッサ１１と他のブロックとの間の制御情報やデータのやり取りを行うバスを示す。
【００１３】
マイクロプロセッサ１１は、通信情報信号（データ情報番組など）を処理すると共に、ＴＶ放送信号受信部１２、映像重畳部１３、表示部１４、映像プロセッサ１５、通信信号受信部１６に対して制御信号を供給して動作を制御したり、操作部１７から入力される操作信号に基づき、またメモリ１８に予め記憶されているプログラムに従って本実施の形態の動作を行う。
【００１４】
ＴＶ放送信号受信部１２は、地上波ディジタル放送や衛星ディジタル放送を受信して得た受信信号を復調して圧縮ビデオ信号を得て、誤り訂正処理等を行って、これをデコードしてディジタル映像信号にして、次段の映像重畳部１３に供給する。通信信号受信部１６は、通信回線からモデムを介して通信信号を受信する。なお、モデムは通信回線がＡＤＳＬ等の場合であり、通信回線が光ファイバの場合には回線終端装置等であり、通信回線はＡＤＳＬ等に限定されるものではない。
【００１５】
表示部１４は、液晶ディスプレイやプラズマディスプレイなどの表示を行うデバイスである。操作部１７は、ボタン、十字キー等（更に、家庭用ＴＶではあまり一般的ではないが、マウスやキーボードであってもよい。）のユーザが操作するための操作手段であり、リモコンであって本体と別筐体に設けられて赤外線や電波で操作信号を本体に供給してもよい。
【００１６】
メモリ１８は、マイクロプロセッサ１１を動作させるためのプログラムを格納したリード・オンリ・メモリ（ＲＯＭ）や、通信信号受信部１６で受信されたデータを一時的に蓄積すること等に用いるランダム・アクセス・メモリ（ＲＡＭ）からなる。映像プロセッサ１５は、例えば、ＨＴＭＬ（ハイパーテキスト・マークアップ・ランゲージ）言語で記述された情報から画面上に表示するためのディジタルビデオ信号を作成する。
【００１７】
ここで、本実施の形態の受信装置は、送信側との間の取り決めで、情報番組を構成する記述言語情報の中で、テレビジョン動画放送を挿入して表示することに好適な画像領域を定義しておき、この様な画像領域の存在を調べて、有った場合にはそこにそれまで見ていた動画情報を挿入することにより、情報番組を表示しながらも動画のテレビジョン番組も画面上の一部に表示される様にして、継続して視聴ができることを可能にするものである。
【００１８】
次に、本実施の形態の動作について説明する。ＴＶ放送信号受信部１２により所望チャンネルの地上波ディジタル放送信号又は衛星ディジタル放送信号が選局受信され、その受信信号が復調されて圧縮ビデオ信号とされて誤り訂正処理等を行われた後、デコードされて動画を含むストリームの第一のコンテンツ情報であるディジタル映像信号に変換されてから映像重畳部１３に供給される。
【００１９】
一方、通信信号受信部１６により受信されたデータ情報は、マイクロプロセッサ１１に送られ、ここで処理されて映像プロセッサ１５に供給されてディジタル映像信号とされてから映像重畳部１３に送られる。映像重畳部１３は、ＴＶ放送信号受信部１２からの第１のディジタル映像信号を、映像プロセッサ１５よりの第２のディジタル映像信号中の指定された位置、大きさで重畳して、重畳後のディジタル映像信号を表示部１４に供給して表示させる。
【００２０】
いま、表示部１４に、通信信号受信部１６で受信された、図２（Ａ）に２１で示すようなデータ情報を表示するサービス画面として、天気予報が表示されているものとする。この表示画面２１は、例えばＨＴＭＬを用いて記述される。送信側からは、テキスト情報としての文章や、画面の配置、画像の挿入位置などが記述されたＨＴＭＬ文書である文書ファイルと、挿入される画像等の要素ファイルとが組となって送られる。ここでのＨＴＭＬ文書は、ＸＭＬなどの他の言語形式でもよく、これらを用いたファイルを記述言語情報ファイルと呼ぶことにする。
【００２１】
すなわち、通信信号受信部１６には、表示を制御する記述言語情報ファイルと、表示する画像等の要素ファイルの組の形態の第二のコンテンツ情報が送られてくる。受信装置では、この第二のコンテンツ情報の中のＨＴＭＬ文書に従って、画像内容を構成して表示する。この様な表示において、本実施の形態では、適宜所定の条件に合う画像を、それまで見ていたテレビジョン放送の映像に置き換えて表示する（切り換え後も入来するテレビジョン映像をこの部分に表示し続ける）ことに特徴がある。
【００２２】
例えば、図２（Ａ）に示す画面２１中の「Weather Information」と書かれた画像の領域２２に、同図（Ｂ）ではテレビジョン映像画像２３を挿入表示している。ここで、前記ＨＴＭＬ文書（記述言語情報ファイル）においては、画像の挿入については、図３（１）に示す様に、
＜ＩＭＧＳＲＣ＝“＊１”＞（但し、＊１は画像ファイル名）
という記述が、＊１というファイル名の画像を挿入するという意味に定義されている。図３（１）の例では、ファイル名が、「ＴＶｉｎｓｅｒｔ−Ｌｏｇｏ０１．ｊｐｇ」という、ＪＰＥＧ方式で圧縮された画像ファイルを挿入する様に指定されている。
【００２３】
テレビジョン映像を挿入するための一つの方法としては、このファイル名の最初の文字が、「ＴＶｉｎｓｅｒｔ−」で始まる場合は、ここに必要な場合にはテレビジョン映像を挿入するということに取り決めておけば、データ情報の送信側でテレビジョン映像挿入用の画像領域とする画像のファイル名をこれに合致するものにしておき、受信装置側ではこの様なファイル名の個所を見つけてテレビジョン映像を挿入表示するように構成しておけばよい。
【００２４】
従って、図２（Ａ）の表示画面２１の左下の領域２２における「Weather Information」と書かれた画像のファイル名が「ＴＶｉｎｓｅｒｔ−Ｌｏｇｏ０１．ｊｐｇ」であったとすると、このファイル名は「ＴＶｉｎｓｅｒｔ−」で始まるので、ここにＴＶ放送信号受信部１２で受信して得たテレビジョン映像２３を挿入することになる。
【００２５】
ここで、この規約に対応しない受信装置においては、テレビジョン映像を挿入して表示することはできずに、「Wheather Information」と書かれた画像が常に表示されることになるが、「天気予報」というデータ情報コンテンツの表示としては破綻をきたすことがない。
【００２６】
次に、テレビジョン映像挿入個所を特定できる様にする、他の方法について説明する。ＨＴＭＬにおいては、図３（２）の様に、ＩＭＧのタグにＡＬＴ＝“＊２”という記述を加えることができ、これは、もし何らかの理由で画像の表示ができなかったときには、画像の変わりに＊２というテキスト文字を表示するという意味を表す。
【００２７】
そこで、この代替テキスト＊２を「ｆｏｒ＿ＴＶｉｎｓｅｒｔ」という様な特定の文字に規定しておき、データ情報の送信側ではこの規定に基づいて、テレビジョン映像挿入に適した位置の画像代替テキストを設定して送り、受信装置ではこの代替テキストを持つ画像の個所に必要な場合テレビジョン映像を挿入すればよい。
【００２８】
ここでは、例えば図２（Ａ）の表示画面２１の左下の領域２２における「Weather Information」と書かれた画像のファイル名が「Ｌｏｇｏ０１．ｊｐｇ」であったとすると、これが置き換えられて図２（Ｂ）に示すように、領域２２にテレビジョン映像２３の挿入ができる。
【００２９】
また、テレビジョン映像挿入個所の指定はこれらに限ることはなく、例えば、図３（３）の様に、ＨＴＭＬ文書のヘッダ部分において、
＜ＭＥＴＡ  ＴＶ−ＩＮＳＥＲＴ＝“＊３”＞
と記述することにより、＊３というファイル名の画像に置き換えてテレビジョン映像を挿入してもよいという様に取り決めておくことによっても実現できる。
【００３０】
以上の様な方法で、ＨＴＭＬ文書で記述されたデータ表示の中で、指定した画像をテレビジョン映像に置き換え表示することが可能となるが、この様な置き換えを行うか、それとも従来通りＨＴＭＬ文書と共に送られてくる画像ファイルを表示するかを、以下に述べるような方法で切り換えると便利である。
【００３１】
次に、本発明になる表示装置の他の実施の形態について、図４及び図５と共に説明する。図４は「Ｔナビ」等のデータ情報を受信可能なデジタルテレビジョン受像機の使用過程の例を、また図５は本発明の表示装置の表示動作の他の実施の形態の動作説明用フローチャートを示す。
【００３２】
いま、受信装置の電源投入の後、操作部１７の操作により情報番組選択が行われると（ステップＳ１０１）、マイクロプロセッサ１１は、その選択時にＴＶ番組視聴中であったかどうか判定する（ステップＳ１０２）。図４（Ａ）は情報番組選択時にＴＶ番組視聴中であった場合の動作を模式的に示しており、図４（Ｂ）は情報番組選択時にＴＶ番組は視聴していなかったときの動作を模式的に示す。ここで、電源投入直後には、まず、ＴＶ番組視聴なのか、情報番組の視聴なのかをユーザに選択を促す画面が表示され、それに従ってユーザがどちらかを選択するようにすればよい。
【００３３】
図４（Ａ）は電源投入の後、テレビジョン番組の視聴のためのチャンネル選択が行われたテレビジョン番組の受信が始まり、ユーザはこの番組の視聴を行う。そしてしばらく経った時点で、ユーザにより情報番組選択の操作が行われた場合であり、このＴＶ番組視聴中に情報番組視聴選択が行われると、マイクロプロセッサ１１は、情報番組の記述言語情報を解析し、ＴＶ画像挿入好適領域はあるかどうか判定する（ステップＳ１０３）。
【００３４】
ＴＶ画像挿入好適領域がある場合は、通信信号受信部１６で受信した情報番組を記述言語情報に基づいて表示部１４の画面に表示するに当たって、挿入好適領域にそれまで視聴していたＴＶ画像を挿入して表示する（ステップＳ１０４）。この状態を図４（Ａ）に情報番組視聴４１として模式的に示す。この情報番組視聴４１の状態では、それ以前にテレビジョン番組を視聴していたので、その番組の続きを情報番組表示の一部に画像と置き換えて表示することにより、テレビジョン番組の続きの内容を見ながら、天気予報等のユーザ所望のデータ情報を見ることができる。
【００３５】
なお、ステップＳ１０３でＴＶ画像挿入好適領域が無いと判定された場合は、記述言語情報に基づいて、情報番組だけを表示する（ステップＳ１０５）。従って、この場合は、それまで視聴していたテレビジョン番組の替わりに、情報番組に画面全体が切り替わることになる。
【００３６】
他方、ステップＳ１０２で情報番組選択時にＴＶ番組は視聴していなかったと判定されたときには、直ちに情報番組の選択が行われ、情報番組の視聴が始まる（ステップＳ１０５）。この状態を図４（Ｂ）に情報番組視聴４２として模式的に示す。この場合は、それ以前にテレビジョン番組の視聴は行っていないので、情報番組中の画像をテレビジョン番組の映像に置き換えることなく、情報番組上で指定された画像を挿入して表示する。
【００３７】
なお、本発明は以上の実施の形態に限定されるものではなく、例えば、通信信号受信部１６で受信する信号は、データ放送などの特別な通信信号でなくてもよく、一般的なインターネットのページでもよい。また、携帯電話で外出先から個人がＨＴＭＬ形式で文書を作成して送信し、自宅のテレビジョン受像機等の受信装置で受信することも考えられる。特にＩＰｖ６（Internet Protocol version 6）が普及して家庭内の各機器がそれぞれＩＰアドレスを持つようになったときに適用可能である。
【産業上の利用可能性】
【００３８】
本発明の受信装置は、動画番組のテレビジョン放送に加えて、データ情報も利用できる様に構成されたデジタルテレビジョン受像機などに適用できる。
【図面の簡単な説明】
【００３９】
【図１】本発明の受信装置の一実施の形態のブロック図である。
【図２】本発明装置の表示画面の各例を示す図である。
【図３】ＨＴＭＬ文書（記述言語情報ファイル）における画像の挿入方法の各例を示す図である。
【図４】情報番組選択時にＴＶ番組視聴中であったときと、ＴＶ番組を視聴していなかった時の本発明の一実施の形態の動作を模式的に説明する図である。
【図５】本発明受信装置の一実施の形態の動作説明用フローチャートである。
【符号の説明】
【００４０】
１１  マイクロプロセッサ
１２  ＴＶ放送信号受信部
１３  映像重畳部
１４  表示部
１５  映像プロセッサ
１６  通信信号受信部
１７  操作部
１８  メモリ
２１  表示画面
２２  画像挿入領域
２３  挿入されたＴＶ画像
【図１】
2006121451.tif 000003
【図２】
2006121451.tif 000004
【図３】
2006121451.tif 000005
【図４】
2006121451.tif 000006
【図５】
2006121451.tif 000007